(57)【特許請求の範囲】
【請求項１】
車両の内壁のアシストグリップに代えて取り付けられた支持部と、前記内壁と略平行となるように前記支持部に長手方向に移動可能に支持された棒状部と、前記棒状部に該棒状部に沿って移動可能に車載機器としての液晶モニターを取り付ける車載機器取付部とを備え、
前記支持部は、前記棒状部を前記内壁側に近づくように移動自在に支持する棒状部移動手段を備え、
前記棒状部移動手段は、車両に取り付けられる基部と、該基部に上下に旋回移動可能に連結されるとともに前記棒状部が取り付けられる連結部とを備え、前記基部に対して異なる複数の角度で前記連結部を前記基部に係合可能とすることで段階的に前記基部に対する連結部の角度を変更自在とし、
前記車載機器取付部は、前記棒状部が挿入され、前記棒状部の任意の位置に棒状部の外周回りに任意の角度で取付自在とされたベース部と、該ベース部に揺動自在に取り付けられるとともに、前記車載機器に取り付けられる揺動取付部とを備えたことを特徴とする車載機器取付スタンド。
【請求項２】
前記基部と前記連結部とがネジにより締結されるとともに該ネジを緩めた状態で該ネジを回転軸として前記基部に前記連結部が回動自在に接合され、
前記基部と前記連結部との連結部分に、前記基部と前記連結部とを締結した際に前記基部に対する前記連結部の回転を規制する回転角決め部が設けられていることを特徴とする請求項１に記載の車載機器取付スタンド。
【請求項３】
前記棒状部の端部にエンドキャップが取り付けられるとともに、前記エンドキャップには、前記棒状部の軸方向にほぼ沿って前記棒状部の端部付近から前記棒状部が延在する方向と反対の方向に突出する突出片が設けられていることを特徴とする請求項１又は請求項２に記載の車載機器取付スタンド。
【請求項４】
前記ベース部は前記棒状部が挿入される貫通孔を有し、
前記揺動取付部は、基端部が略球状とされ、先端部が車載機器に取り付けられる揺動部と、該揺動部の基端部を挟むとともにベース部に設けられた接続部を挟むことにより、ベース部と揺動取付部とを接合するクランプ部と、
前記クランプ部を緩めた状態で、前記揺動部を揺動自在とし、前記クランプ部を締めた状態で前記揺動部の向きを固定するクランプ調整手段とを備えたことを特徴とする請求項１〜請求項３いずれか一項に記載の車載機器取付スタンド。
【発明の詳細な説明】
【０００１】
【発明の属する技術分野】
この発明は、車載機器取付スタンドに関する。
【０００２】
【従来の技術】
従来、テレビ、ビデオ、カーナビゲーション等に用いられる液晶モニターを自動車の後部座席用に取り付ける場合には、例えば予め車内の天井等に専用の取付構造を設けていた。また、簡易的には例えば、後部座席用に液晶モニターを取付ける場合、フロントシートのヘッドレストの支柱に取付スタンドを取り付け、前記取付スタンドに液晶モニターを取り付けていた。
【０００３】
【発明が解決しようとする課題】
ところで、前者の方法では、専用の取付構造を設けるために、コストがかかり、後付けが困難である。また、前者及び後者の方法では、液晶モニターの前後位置を変更することが困難であった。さらに、後者の方法では、前部座席に人が座ると、人の動きにより画面が揺れるという問題点があった。
【０００４】
そこで、本発明は以上の問題を解決するために、車載機器を簡単にかつ強固に取り付けることができる車載用取付スタンドを提供することを目的としている。
【０００５】
【課題を解決するための手段】
以上の課題を解決するため、請求項１記載の発明は、車載機器取付スタンドであって、車両の内壁のアシストグリップに代えて取り付けられた支持部と、前記内壁と略平行となるように前記支持部に長手方向に移動可能に支持された棒状部と、前記棒状部に該棒状部に沿って移動可能に車載機器としての液晶モニターを取り付ける車載機器取付部とを備え、前記支持部は、前記棒状部を前記内壁側に近づくように移動自在に支持する棒状部移動手段を備え、前記棒状部移動手段は、車両に取り付けられる基部と、該基部に上下に旋回移動可能に連結されるとともに前記棒状部が取り付けられる連結部とを備え、前記基部に対して異なる複数の角度で前記連結部を前記基部に係合可能とすることで段階的に前記基部に対する連結部の角度を変更自在とし、前記車載機器取付部は、前記棒状部が挿入され、前記棒状部の任意の位置に棒状部の外周回りに任意の角度で取付自在とされたベース部と、該ベース部に揺動自在に取り付けられるとともに、前記車載機器に取り付けられる揺動取付部とを備えたことを特徴とする。
【０００６】
請求項２記載の発明は、請求項１に記載の車載機器取付スタンドであって、前記基部と前記連結部とがネジにより締結されるとともに該ネジを緩めた状態で該ネジを回転軸として前記基部に前記連結部が回動自在に接合され、前記基部と前記連結部との連結部分に、前記基部と前記連結部とを締結した際に前記基部に対する前記連結部の回転を規制する回転角決め部が設けられていることを特徴とする。
【０００７】
請求項３記載の発明は、請求項１又は請求項２に記載の車載機器取付スタンドであって、前記棒状部の端部にエンドキャップが取り付けられるとともに、前記エンドキャップには、前記棒状部の軸方向にほぼ沿って前記棒状部の端部付近から前記棒状部が延在する方向と反対の方向に突出する突出片が設けられていることを特徴とする。
【０００８】
請求項４記載の発明は、請求項１〜３いずれか一項に記載の車載機器取付スタンドであって、前記ベース部は前記棒状部が挿入される貫通孔を有し、前記揺動取付部は、基端部が略球状とされ、先端部が車載機器に取り付けられる揺動部と、該揺動部の基端部を挟むとともにベース部に設けられた接続部を挟むことにより、ベース部と揺動取付部とを接合するクランプ部と、前記クランプ部を緩めた状態で、前記揺動部を揺動自在とし、前記クランプ部を締めた状態で前記揺動部の向きを固定するクランプ調整手段とを備えたことを特徴とする。
【０００９】
【発明の実施の形態】
以下に本発明に係る車載機器取付スタンド１の実施の形態を図面を参照して説明する。
図１（Ａ）に示すように、この実施の形態の車載機器取付スタンド１は、液晶モニター２００等の車載機器を車両内部に固定するために車両内部の後部座席の内壁１００に取付けられたアシストグリップ３００の取付構造に、アシストグリップに代えて取り付けられるものである。 また、車載機器取付スタンド１は、車両の内壁１００のアシストグリップ３００の取付け位置に取り付けられる取付金具Ａ（支持部）と、該取付金具Ａに支持される固定パイプ３０（棒状部）と、液晶モニター２００（車載機器）を、前記固定パイプ３０に取り付ける車載機器取付金具Ｂ（車載機器取付部）と、固定パイプ３０の端部に設けるエンドキャップ５０とを備えている。
【００１０】
なお、図１（Ｂ）に示すように、車載機器取付スタンド１は、車両のアシストグリップ３００を取外した後に、 たとえば、アシストグリップ３００を取り付けていたネジ３００ａ（他のネジでも後述するネジ穴に合えば使用可）とネジ穴３００ｂを用いて取り付けられるものである。また、アシストグリップ３００を有する車ならば、 この例の車載機器取付スタンド１を取り付けることが可能である。
【００１１】
図２は本発明に係る、車載機器取付スタンド１の取付金具Ａ部分の分解斜視図を示している。
図２に示すように、前記取付金具Ａは、前記内壁１００に取り付けられる壁体取付部１０と、前記壁体取付部１０に回動自在に取付けられる可動金具２０からなり、 可動金具２０には固定パイプ３０を挿通させる貫通孔２５が形成されている。
前記壁体取付部１０は、内壁１００に当接して固定される四角形状の底板部１１と、 該底板部１１の上下の側縁部から車内側に立ち上がった２つの側板部１２、１３と、前記底板部１１の左右の側縁部から車内側に立ち上がった左右の側板部１４、１５とから概略箱状に形成されている。
そして、底板部１１には、車両の内壁１００のアシストグリップ３００を取り付けるためのネジ穴３００ｂに取付金具Ａをネジ１１ｂにより取り付けるためのネジ用の挿通孔１１ａが形成されている。
【００１２】
前記壁体取付部１０は、その底板部１１の反対側の先側（車内側）に可動金具２０が取り付けられるようになっている。そして、壁体取付部１０の先側の右側が可動金具２０と干渉しないように切欠かれた形状とされ、壁体取付部１０の先側の右側の前記左の側板部１４が他の側板部１２、１３、１５より車内側に突出した形状とされている。なお、壁体取付部１０は、その先側が下方に向くように途中で屈曲した形状とされている。
そして、肉厚に形成された左の側板部１４の先部が、可動金具２０を固定する固定部１４ａとなっている。また、上下の側板部１２、１３の車内側の先端縁部の断面形状が、内側より外側が突出するとともに後述する可動金具２０の壁体取付部１０側の端部の半円柱状の形状に対応して円弧状に凹んだ形状となっている。
【００１３】
また、右の側板部１５の先端縁部は、可動金具２０の壁体取付部１０側の端部の半円柱状の形状に対応して、左右端部に対して中央部が円弧状に凹んだ形状となっている。
可動金具２０と壁体取付部１０を固定した際、壁体取付部１０の側板部１２、１３及び右の側板部１５で形成される湾曲した状態の先端部分が、可動金具２０の壁側の外周面を覆うように形成され、また前記先端部分と可動金具２０の壁側の外周面とが一定の間隔を保つように形成される。
【００１４】
また、左の側板部１４の固定部１４ａには、可動金具２０を固定するためのネジ穴１６が設けられ、ネジ穴１６の外周より外側に周方向に沿ってほぼ等間隔に並んだ状態に複数の係合部１７が設けられている。なお、固定部１４aの車内側の先端側の側縁部は中央部が突となる円弧状に形成されている。
左の側板部１４に設けられるネジ穴１６は、例えばネジ穴１６の入口付近が大径で、奥側が小径である２段構造に形成し、後述するネジ１６ａの頭部がネジ穴１６内に完全に挿入され、ネジ１６ａの頭部が壁体取付部１０の左の側面から突出しないようにしている。
係合部１７は図１に示すように断面形状が円状の貫通孔とされているとともに、円周上に３０度間隔で１２個設けられている。なお、係合部１７は、壁体取付部１０と可動金具２０とをネジ１６ａで締結した際に、後述する可動金具２０側の係合部２９と係合して壁体取付部１０に対する可動金具２０の回転を規制できれば良く、その形状等は、断面円形に限らず多角形であっても良く、また、貫通孔に限らず、くぼみ、溝、突起、突条等の形状であっても良い。なお、壁体取付部１０と可動金具２０とのネジ１６ａによる締結を緩めた際に、可動金具２０が壁体取付部１０に対してネジ１６ａを中心として回転可能の状態で、可動金具２０を回転させて壁体取付部１０に対する可動金具２０の角度を段階的に決められるようになっている。
【００１５】
一方、前記壁体取付部１０に固定される可動金具２０は、固定パイプ３０を挿通させる貫通孔２５を有するパイプ取付部２０ａと、壁体取付部１０に取り付けられる接合部２０ｂとからなる。なお、可動金具２０は、パイプ取付部２０ａ側の外周面が半円柱状とされ、 接合部２０ｂ側の外周面が半円柱状とされることにより、断面小判状の形状とされている。
また、前記可動金具２０の接合部２０ｂの左側面には貫通孔２５の開口部２６が形成され、パイプ取付部２０ａの左側面は、接合部２０ｂの左側面より奥側に後退した状態とされ、この左側面が前記壁体取付部１０との取付面２７とされている。また、可動金具２０の上面側には、可動金具２０の貫通孔２５に固定パイプ３０を挿通させた際、固定パイプ３０を固定するための後述するネジ２２を螺合させるネジ穴２１が設けられている。
また、図１に示すように、パイプ取付部２０ａの左側面と取付面２７との段差部分は円弧状に形成されている。
【００１６】
また、可動金具２０の左側面の段差部分の円弧状に窪んだ状態に形成された曲面と、壁体取付部１０の左側板部１４の先側の固定部１４ａの円弧状に突出した先端面とが、間隔をあけて対向して配置されており、可動金具２０を上下方向に壁体取付部１０に対して回動する際に、壁体取付部１０の固定部１４ａが可動金具２０の段差の曲面部分に接触せず、一定の間隔を保ちながら回動できるようになっている。
【００１７】
可動金具２０の取付面２７の壁体取付部１０のネジ穴１６に対応する位置にネジ穴２８が設けられている。また、ネジ穴２８の外周より外側に、前記壁体取付部１０の係合部１７の一部に対応する位置に複数の突起部２８が形成されている。なお、複数の突起部２８は、壁体取付部１０の係合部１７と同様に円周上に等間隔に配置されるが、係合部１７より数が少ないものとなっている。
そして、可動金具２０の取付面２７の複数の突起部２９が、前記壁体取付部１０に設けた円形状の係合部１７に係合する（係合部１７である穴に突起部２９が挿入される）ことによって、可動金具２０を壁体取付部１０に対して所定の角度に止めて固定状態にできる。なお、図２に示すように、可動金具２０の取付面２７には平面視した場合に、約９０度の等角度間隔で４つの突起部２９が設けられるものとしたが、 これに限らず、突起部２９を４つ以上、もしくは４つ以下設けるものとしても良い。また、可動金具２０と壁体取付部１０とで係合部分の形状を逆にしても良い。
【００１８】
また、可動金具２０の角度を段階的に決める際の角度の間隔は、この例において係合部１７の数によって決まる。そして、可動金具２０を上下に回動させて角度を決める際は、可動金具２０と壁体取付部１０とを固定しているネジ１６ａを緩める。その結果、突起部２９は係合部１７との係合状態が解除され、 可動金具２０が上下方向に回動可能となる。そして、可動金具２０が所望の角度もしくはそれに近似する角度となった際に、それぞれの突起部２９を係合部１７に挿入するようにして、再び壁体取付部１０に可動金具２０を締結することで可動金具２０の向きが固定される。なお、このような構成とすることにより、壁体取付部１０に締結された可動金具２０に外力が加わっても、可動金具２０が回転することがない。
【００１９】
なお、図３は、取付金具Ａを車両の内壁１００に装着した場合の垂直断面の概略を示している。図３に示すように、取付金具Ａの可動金具２０は取付面２７を中心に上下方向に回動可能で、可動金具２０を矢印Ｐ、Ｑ方向に示すように上下方向に回転角度を変えることにより、破線で示した位置Ｙ、Ｚでは、実線で示した位置Ｘよりも、車内側に突出する割合が少なくなる。
【００２０】
また、別の例として、例えば図４に示すように、車体側の内壁１００が車内側に傾斜している場所に取付金具Ａを設ける場合、可動金具２０を上側方向に回動させ、壁体取付部１０と垂直になる位置に回転させた場合（R方向）、壁体取付部１０と前記可動金具２０が直角の状態になるとともに、可動金具２０と車体側の壁面が平行状態になり、取付金具Ａの車内側への突出を押さえることが可能となる。  すなわち、上述のように、取付金具Ａに対して、可動金具２０を回転して取付角度を変更することにより、取付金具Ａに固定される固定パイプ３０の車両の内壁面からの距離を変更することができる。これにより、例えば、アシストグリップ３００の取付位置が周囲の内壁面より凹んでいる車に対応して、予め取付金具Ａを長いものとしても、車に対応して取付金具Ａの壁面からの突出量を変更して、固定パイプ３０の内壁面からの距離が大きくなりすぎるのを防止することができる。
【００２１】
次に、可動金具２０の取付面２７の形状の変形例について説明する。図５に示すように変形例として、前記取付面２７の形状を取付面２７の貫通孔の周囲に、貫通孔を中心とする円状凹部４０を形成し該円状凹部４０内部に所定の角度おきに半径方向に峰を沿わせた断面三角形状の凸部を形成するとともに、前記凹部の左右の傾斜のうちの一方をなだらかにし、他方をきつくした状態となっている。
また、一方の壁体取付部１０には、壁体取付部１０と可動金具２０を取り付けた場合、可動金具２０の取付面２７に設けた円状凹部４０内の凸部と係合する図示しない凸状の係合部が設けられている。
【００２２】
このような可動金具２０の取付面２７と、壁体取付部１０の係合部とは、上述の貫通孔である係合部と突起部と同様に壁体取付部１０に対する可動金具２０の回転角度（向き）を段階的に決めて、壁体取付部１０に可動金具２０を取り付けられるようにしたものであるが、凸部の左右の斜面のうちの一方の斜面がなだらかで他方の斜面が急な斜面となっているので、可動金具２０をネジを緩めた状態で回転する際に、上下方向の回転のうちの壁体取付部１０に設けられた突起が緩やかな斜面を登るような一方の回転は容易に行え、他方の回転は壁体取付部１０と可動金具２０とが大きく離れるようにネジを緩めないと回転できないものとしている。
【００２３】
前記固定パイプ３０は、円筒状の部材であり、前後二カ所でアシストグリップ３００用のネジ穴３００ｂに取り付けられた取付金具Ａの貫通孔に挿通されて固定されることで、車両内の壁際に前後方向に沿って配置される。なお、固定パイプ３００の長さは、後述する液晶モニター２００の前後位置の移動範囲や車内の前後長さ等に基づいて決められる。
【００２４】
次に、車載機器取付金具Ｂ（車載機器取付部）の構成について説明する。図６に示すように、車載機器取付金具Ｂは固定パイプ３０の長手方向に沿って摺動自在に取付けられるベース部７０と、液晶モニター２００に取り付けられる揺動取付部６０からなり、揺動取付部６０は前記ベース部７０の先端部において回転可能に取付けられるクランプ部８０と、該クランプ部８０の前端部に所定の範囲だけ揺動可能で、液晶モニター２００を支持するための揺動部９０が固定されている。
【００２５】
前記ベース部７０は固定パイプ３０に摺動自在に取り付けられる基台部７１と該基台部７１に回動自在に固定される円柱部材７４とからなり、前記基台部７１は固定パイプ３０が挿入される挿通孔７３を有するとともに、その上部に設けられ、前記円柱部材７４が回動自在に固定される保持部７２を有する。また、保持部７２の先端部は二股に分岐した状態とされ、前記円柱部材７４の後端部が板状に形成され、該後端部が保持部７２の分岐した部分の間に挟まれるようになっているとともに、これら保持部７２の二俣部分と円柱部材７４の後端部とを貫通するようにネジ７２ａが配置され、該ネジ７２ａを回転中心として保持部７２に対して円柱部材７４が回動可能とされるとともに、ネジ７２ａにより保持部７２に挟まれた状態の円柱部材７４を締結して円柱部材７４の向きを固定できるようになっている。
また、円柱部材７４の前端部には円盤状の接続部７５が設けられている。この接続部７５には、前記クランプ部８８が回転可能に取付けられる。
【００２６】
また、前記基台部７１には挿通孔７３の外側にネジ孔７１ａが形成されており、このネジ孔７１ａにはネジ７６が螺合されることにより、前記ベース部７０が固定パイプ３０に固定され、前記固定パイプ３０の長手方向への動きや、固定パイプ３０の周方向への回転を防止することができる。
【００２７】
前記円柱部材７４の先端部に設けられる円盤状の接続部７５は、径が円柱部材７４の直径よりやや小さく、円柱部材７４と接続部７５の間には周方向に沿った溝７７が形成される。また、前記の円盤状の接続部７５の外周壁には周方向に凹凸部７５ａが形成される。
揺動部９０は、略球状の基端部９４ｂと、棒状の軸部９４ａとから構成される支持棒９４を有し、軸部９４ａの先端部は外周に雄ネジ９４ｄが形成され、また軸部９４ａの先端面には開口部９４ｃが設けられ、開口部９４ｃの内部には雌ネジが形成されている。
【００２８】
そして、前記支持棒９４の軸部９４ａに形成された雄ネジ９４ｄには、外周壁に凹凸部９３ｂを形成し、また中央部に雌ネジ９５ａを形成した保持リング９３が、前記雌ネジ９５ａにより螺合している。液晶モニター２００の振れを防止するための円環状の補助リング９２が、前記保持リング９３と後述するレールガイドとの間に配置される。この補助リング９２には中心部に挿通孔９２ａが形成され、該挿通孔９２ａの周縁部に弾力性を有するゴム、軟質合成樹脂等の抵抗リング９２ｂが貼着されている。この抵抗リング９２ｂは表面に多数の凹凸部を形成する。また、軸部９４aの先端面の開口部９４ｃにレールガイド９１に設けられたネジ軸９１が螺合されてレールガイド９１が軸部９４aに固定される。
なお、レールガイド９１は、図１に示す液晶モニター２００の背面の左右のレール２０１に係合するとともにレール２０１の背面側に回り込むようになっており、レールガイド９１と保持リング９３との間にレール２０１と補助リング９２及び抵抗リング９２ｂとを挟んだ状態で軸部９４aに螺合した保持リング９３を回転して締め付けることで、液晶モニタを軸部９４aの先端に取り付けられるようになっている。
【００２９】
次にクランプ部８０の構造について説明する。クランプ部８０は形状が略円錐台形状で先端部が後端部よりやや径が小さく設けてある。
また、前記クランプ部８０は、断面視円形状でその対称軸により左右対称に、第１クランプ部８１及び第２クランプ部８２に分割されている。
また、第１クランプ部８１及び第２クランプ部８２を合わせた状態で、クランプ部８０は先端面に貫通孔８８を有し、前記貫通孔８８の一端部から第１クランプ部と第２クランプ部とが合わさる部分に沿って溝状となる切り欠き部８３が、クランプ部８０の略中間位置まで設けられている。
前記第１クランプ部８１及び第２クランプ部８２の内壁面は、先部には半球状の凹部８４が形成され、後端部には前記円盤状の接続部７５が嵌合可能な嵌合部８５が形成されている。そして、接続部７５の外周壁に設けた凹凸部７７と段階的に係合するように嵌合部８５の内周壁には図示しない凹凸部を設けている。
【００３０】
さらに、第１クランプ部８１の側面に六角形状の開口部を有し、その奥が細い円形状のネジ用の貫通孔８１ａを設け、また反対側の第２クランプ部８２には、前記第１クランプ部８１に設けた貫通孔８１ａに対応する位置に、開口部が奥側より径が大きくされた円形状の貫通孔８２ａを形成する。次に上記で説明した円柱部材７４の接続部７５と支持棒９４の基端部９４ｂをクランプ部８０に嵌めた状態で、第１クランプ部８１と第２クランプ部８２とを合わせる。そして、第１クランプ部８１の貫通孔８１ａからは、ネジ８７を挿入する。そして、反対側のネジ孔８２ａからは取っ手部８６ａを有する緊締用ネジ８６を挿入し、緊締用ネジ８６の内部に形成した雌ネジに前記ネジ８７を螺合し第１クランプ部８１と第２クランプ部８２とを締め付ける。
【００３１】
前記のクランプ部８０の緊締用ネジ８６の締め付けの強弱により、車載機器取付金具Ｂの先端に取り付ける液晶モニター２００を固定したり、動かしたりできる。例えば、前記ベース部７０と揺動取付部６０は、円柱部材７４の接続部７５をクランプ部８０の嵌合部８５に嵌めた状態で接合されているが、緊締用ネジ８６を若干緩めることで、揺動取付部６０を前記円柱部材７４の周方向に回転が可能となり、かつ、クランプ部８０の前端に接合される揺動部９０は、クランプ部８０に切り欠き部８３を設けた方向に、前記円柱部材７４とほぼ垂直状態まで回動可能となる。また、揺動部９０は、クランプ部８０の貫通孔８８の範囲で揺動可能である。
【００３２】
また、前記ベース部７０の基台部７１に設けたネジ孔７１ａのネジ７６を強く締め付けることにより、車載機器取付金具Ｂを固定パイプ３０に固定できる。また、ネジ７６を緩めることで、車載機器取付金具Ｂを固定パイプ３０の前後方向の位置に移動することができる。また、車載機器取付金具Ｂのベース部７０の基台部７１と円柱部材７４が回動可能に接合されているので、前記基台部７１を固定パイプ３０に固定したままの状態で、液晶モニター２００を前後方向に微調整が可能となる。
【００３３】
次に車載機器取付スタンド１の固定パイプ３０の端部に装着するエンドキャップ５０の構造について説明する。
図７にエンドキャップ５０の斜視図、また図８にはエンドキャップ５０の断面図を示す。固定パイプ３０の両端部に装着するエンドキャップ５０は、固定パイプ３０の内周壁に沿って挿入される円筒状の嵌入部５１と、固定パイプ３０の両端部の外周壁に密着する円筒状の外周覆い部５２からなり、前記嵌入部５１と外周覆い部５２の間に形成される溝で、固定パイプ３０の端部を挟んで固定している。また、エンドキャップ５０は、弾性を有する樹脂や合成樹脂からなっており、例えば、ゴム状の特性を有するものとなっている。
【００３４】
また、前記外周覆い部５２には、固定パイプ３０の反対側に固定パイプ３０の軸方向に突出する円筒状の突出片５３が形成されている。なお、この突出片５３は、外周覆い部５２を固定パイプ３０の軸方向に沿って固定パイプ３０の反対側に延長した形状で形成されている。このように、固定パイプ３０の先端部に装着するエンドキャップ５０に突出片５３を設けることで、外側からの衝撃を弾性を有する突出片５３で吸収する構造になっている。なお、突出片５３を二重の円筒状としても良く、例えば、外周覆い部５２とともに嵌入部５１も固定パイプ３０の反対側に延長された状態として突出片５３を二重の円筒状としても良い。
【００３５】
図９は上記例のエンドキャップ５０の内周に十文字の突出片５３ａを追加した場合を示している。この場合、エンドキャップ５０の内周円の中心で交差するように、直径方向に２つの壁状の突出片５３ａを設ける。このように、十文字の突出片５３ａを追加することにより、外側からの衝撃をさらに弱めることが可能となる。
【００３６】
次に、車載機器取付スタンド１を車内の後部座席に取り付ける方法について説明する。まず、取付金具Ａの壁体取付部１０の底面壁１１を車内後部座席の内壁１００のアシストグリップ３００のネジ穴３００ｂの位置に当接させ、底板部１１の挿通孔１１ａを介してネジ穴３００ｂにネジ１１ｂを締め付ける。そして、壁体取付部１０の左の側板部１４の固定部１４ａと可動金具２０の取付面２７を当接し、かつ前記固定部１４ａのネジ穴１６と前記取付面２７のネジ穴２８を合わせ、前記固定部１４ａ側からボルト１６ａを螺合させる。この際、前記取付面２７と前記固定部１４ａを回動可能な状態にするため、ボルト１６aを完全には締め付けずに、前記取付面２７と固定部１４aとの間に隙間を設けるようにする。
【００３７】
次に固定パイプ３０を取付金具Ａに固定する。
この場合、固定パイプ３０を後部座席のアシストグリップ３００の取付位置に取付けられた前後の取付金具Ａの可動金具２０の貫通孔２５に挿入する。そして、可動金具２０に設けたネジ穴２１にネジ２２を螺合させ固定パイプ３０を固定する。
次ぎに、固定パイプ３０に、取付金具Ｂを用いて、液晶モニター２００を取り付ける。
【００３８】
なお、上記で説明した固定パイプ３０は、可動金具２０に設けたネジ穴２１のネジ２２を緩めることで、固定パイプ３０の長手方向に沿って取付金具Ａに対して摺動自在に移動することが可能である。本発明の例では後部座席の視聴者が固定パイプ３０の前方に取り付けた液晶モニター２００を見ることが可能な状態に取り付けたが、例えばワンボックスカー等の、前後に３列の座席が設けられている場合は、固定パイプ３０を長手方向に沿って前席方向に移動させることで、前席の者も視聴が可能となる。また、車載機器取付金具Ｂの位置を固定パイプ３０の最後列側に取り付けることで、最後列の者も視聴が可能となる。さらに、本発明では固定パイプ３０の構成を単管としたが、固定パイプ３０の内部に径が一回り小さい図示しない移動パイプを挿入し、この移動パイプが前後方向に摺動可能にし、固定パイプ３０の長さを変更可能としても良い。この場合、固定パイプ３０と移動パイプの固定方法として例えば、固定パイプ３０に図示しないネジ孔を設け、このネジ孔に図示しないネジを螺合し固定パイプ３０と移動パイプを固定しても良い。
【００３９】
以上に説明したように、この車載機器取付スタンド１によれば、固定パイプ３０の車両内壁からの距離を変更可能となっている。車両の前後方向に配置された固定パイプ３０により、車載機器取付金具Ｂが数箇所の回転または回動可能な接合部７５ａを有しているので、液晶モニター２００を、角度、方向および高さを含めて任意に調整することができ、かつ、その調整位置に確実に固定することができる。
なお、この例において、車載機器を液晶モニター２００としたが、車載機器は液晶モニター２００に限られるものではなく、室内灯、ミラー、カーナビゲーション装置、各種オーディオビジュアル関係の装置等の車載される機器ならばなにを取り付けるものとしてもよい。
【００４０】
【発明の効果】
第１に、本発明の車載機器取付スタンドは車両側の壁のアシストグリップの取付位置に取り付けられるので、すなわち、アシストグリップの取付構造を利用しているので、予め車載機器用の専用の取付構造を設けておく必要がなく、 アシストグリップの取付構造を用いて強固に車載機器を固定できる。従って、車載機器を液晶モニタにした場合に取付部分が強固でないために画面がぶれるようなことを防止することができる。また、アシストグリップの位置に車載機器を後付することもできる。また、車載機器は棒状部材に取り付けられるので、棒状部材に沿って前後に大きく取付位置を変更することができる。
【００４１】
第２に、車載機器取付スタンドはアシストグリップの取付位置に取り付けられる取付金具が車両に取り付けられる基部と、この基部に上下に旋回移動可能に連結されるとともに棒状部が取り付けられる連結部とのような棒状部移動手段を備えるので、車種の違いにより取付面が一段凹んでいたり、またピラーの周辺が突出していたりしても、棒状部を上下に回動することで、棒状部の内壁面からの突出量を調整することができ、棒状部の室内側への突出を押さえることができる
【図面の簡単な説明】
【図１】本発明の車載用車載機器取付スタンドを後部座席の車両側の内壁のアシストグリップの取付穴への装着及びアシストグリップを取り外す状態を説明する概略図である。
【図２】上記車載用車載機器取付スタンドの取付金具部分の分解見取り図である。
【図３】上記車載用車載機器取付スタンドを車両側の内壁に取り付けた際の取付金具部分を説明する垂直断面図である。
【図４】上記車載用車載機器取付スタンドを、傾斜した車両側の内壁に取り付けた際の、取付金具部分を説明する垂直断面図である。
【図５】上記車載用車載機器取付スタンドの変形例を示す概略図である。
【図６】上記車載用車載機器取付スタンドの固定パイプに液晶モニターを取り付けるための車載機器取付金具の分解見取図である。
【図７】上記車載用車載機器取付スタンドの固定パイプの端部に設けるエンドキャップの斜視図である。
【図８】上記車載用車載機器取付スタンドの固定パイプの端部に設けるエンドキャップの垂直断面図である。
【図９】上記車載用車載機器取付スタンドの固定パイプの端部に設けるエンドキャップの変形例を示す斜視図である。
【符号の説明】
１                              車載用車載機取付スタンド
Ａ                              取付金具（支持部）
Ｂ                              車載機取付金具（車載機取付部）
１０                            壁体取付部（基部）
２０                            可動金具（連結部）
２５                            貫通孔
３０                            固定パイプ（棒状部）
６０                            揺動取付部
７０                            ベース部
８０                            クランプ部
９０                            揺動部
５０                            エンドキャップ
１００                          壁
２００                          液晶モニター（車載機器）
【図１】
0003994310.tif 000002
【図２】
0003994310.tif 000003
【図３】
0003994310.tif 000004
【図４】
0003994310.tif 000005
【図５】
0003994310.tif 000006
【図６】
0003994310.tif 000007
【図７】
0003994310.tif 000008
【図８】
0003994310.tif 000009
【図９】
0003994310.tif 000010